(57)【要約】【課題】コスト低減、検出に有効な光の総量の増大、及び、高速計数において連続検出器よりも優れた性能を提供することが可能なガンマ線検出器モジュール及び核医学診断装置を提供することである。【解決手段】実施形態に係るガンマ線検出器モジュールは、シンチレーション結晶素子のアレイと、複数の光センサと、複数の電子部品とを備える。前記複数の光センサは、前記アレイから放射される光を受信するように構成されている。前記複数の電子部品は、第１のトリガゾーンと第２のトリガゾーンとが互いの一部の光センサを共有するように設定され、各トリガゾーンに含まれる複数の光センサからの出力信号を所定の時間ウインドウの間積算するように構成されている。【選択図】図４
2018044961.tif 000002
【特許請求の範囲】
【請求項１】
シンチレーション結晶素子のアレイと、
前記アレイから放射される光を受信するように構成された複数の光センサと、
第１のトリガゾーンと第２のトリガゾーンとが互いの一部の光センサを共有するように設定され、各トリガゾーンに含まれる複数の光センサからの出力信号を所定の時間ウインドウの間積算するように構成された複数の電子部品と
を備える、ガンマ線検出器モジュール。
【請求項２】
ガンマ線を検出するガンマ線検出器モジュールを備え、
前記ガンマ線検出器モジュールは、
シンチレーション結晶素子のアレイと、
前記アレイから放射される光を受信するように構成された複数の光センサと、
第１のトリガゾーンと第２のトリガゾーンとが互いの一部の光センサを共有するように設定され、各トリガゾーンに含まれる複数の光センサからの出力信号を所定の時間ウインドウの間積算するように構成された複数の電子部品と
を有する、核医学診断装置。
【発明の詳細な説明】
【技術分野】
【０００１】
本明細書に記載する実施形態は、全体として、ガンマ線検出及びポジトロン放出断層撮影用などの放射線検出器の構造に関する。
【背景技術】
【０００２】
一般的に、ガンマ線検出器、特にポジトロン放出断層撮影（Positron  Emission  Computerized  Tomography：ＰＥＴ）の使用は、医用イメージングの分野で増大している。ＰＥＴイメージングでは、注射、吸入、又は経口摂取によって、撮像される被検体に放射性薬剤が取り入れられる。放射性薬剤の投与後、その薬剤は、その物理的及び生体分子的な特性によって、人体内の特定部位に集中する。薬剤の実際の空間分布、薬剤の蓄積領域の濃度、及び投与されてから最終的に排出されるまでのプロセスの動態は、全て、臨床的な重要性を持ち得る因子である。このプロセスの間に、放射性薬剤に付着したポジトロン放射体は、半減期、分岐比などの同位元素の物理的性質に応じてポジトロンを放射する。
【０００３】
放射性核種は、ポジトロンを放射する。そして、放射されたポジトロンが電子と衝突すると、消滅イベントが起こり、ポジトロン及び電子が消滅する。多くの場合、消滅イベントは、ほぼ１８０度方向に放出される５１１ｋｅＶの２つのガンマ線を発生させる。
【０００４】
２つのガンマ線を検出して、それらの検出位置間に直線、すなわち、応答線（Line  Of  Response：ＬＯＲ）を引くことによって、本来消滅したであろう位置を割り出すことができる。このプロセスは、相互作用のあり得る線を識別するだけであるが、そのような線を多数蓄積して、断層撮影再構成プロセスを実行することによって、本来の分布を推定できる。２つのシンチレーションイベントの位置に加えて、正確なタイミング（数百ピコ秒以内の）が利用可能なら、飛行時間（Time  Of  Flight：ＴＯＦ）の計算によって、応答線に沿ったイベントの推定位置に関する情報をさらに加えることができる。スキャナのタイミングの分解能の限界が、この線に沿った位置決めの精度を決定する。本来のシンチレーションイベントの位置を決定する際の限界が、スキャナの究極の空間分解能を決定する。一方で、同位元素の固有の特性（例えば、ポジトロンのエネルギー）もまた、（２つのガンマ線のポジトロン範囲及び共直線性によって）特定の薬剤の空間分解能の決定に寄与する。
【０００５】
上述の検出プロセスは、多数の消滅イベントに対して繰り返さなければならない。イメージング症例ごとに解析して、イメージングタスクを支援するために何回カウント（すなわち、対になったイベント）が必要になるかを決定しなければならないが、現在の慣例では、典型的に１００ｃｍ長のフルオロデオキシグルコース（Fluoro-Deoxyglucose：ＦＤＧ）の研究では数億カウントを蓄積する必要があると規定している。この数のカウントを蓄積するのに要する時間は、薬剤の注入量、スキャナの感度及びカウント性能によって決まる。
【０００６】
ＰＥＴイメージングシステムは、被検体から放射されるガンマ線を検出するために、相互に対向して配設された検出器を使用する。典型的には、各角度から飛来するガンマ線を検出するために、環状に配置された検出器を使用する。したがって、ＰＥＴスキャナは、本質的に等方性になっているはずの照射をできるだけ多く捕獲できるように、典型的には実質的に円筒形状を有している。ＰＥＴスキャナの全体的な形状が分かれば、もう１つの課題は、できるだけ多くのシンチレーション材料をガンマ線経路内に配置して、できるだけ多くのガンマ線を停止させて光に変換することである。断層撮影再構成の原理によって放射性同位元素の時空間分布を再構成できるようにするために、検出された各イベントのエネルギー（すなわち、発生した光の量）、位置、及びタイミングを特徴付ける必要がある。ほとんどの最新ＰＥＴスキャナは、数千個の個別の結晶で構成される。これらの結晶は、モジュール化して配列され、シンチレーションイベントの位置を特定するために用いられている。典型的には、結晶素子の断面は、概ね４ｍｍ×４ｍｍである。これよりも小さい寸法や大きい寸法、又は正方形以外の断面の場合もある。結晶の長さや奥行きは、ガンマ線を捕捉する確率を決定することになるのであるが、典型的には、１０〜３０ｍｍの範囲である。かかる検出器モジュールは、スキャナの主たる構成部品である。
【０００７】
ＰＥＴイメージングは、高速で明るいシンチレーション結晶によってガンマ線を光に変換することに依存する。シンチレータ内の相互作用位置と、個々のイベントを対にする時間を決定した後、消滅プロセスの位置を再生できる。これらの処理には、きわめて高速の構成部品（検出器や電子部品など）が必要であり、かつ、優れた信号対雑音比も必要である。信号対雑音比は、高品質の電子部品を用いて、検出プロセスに伴う固有のポアソン統計によって主に決定される。より多くの光子を検出することによって、信号対雑音比が改善され、ひいては空間及びタイミング分解能が向上する。検出器構造及び電子部品を改良しても、検出プロセス中の著しい光の損失は補償できない。収集された光の総量のうちのシンチレータ内で生成された量を超える部分は、構造の設計効率の適切な目安となる。つまり、収集される光量を最大にするためには、光センサをシンチレーション結晶にできるだけ近付けて配置し、反射などのエッジ効果を回避しようとする。このため、結晶とセンサとの間の距離が近い大きなアレイ検出器が必要とされる。
【０００８】
上述のように、ＰＥＴイメージングシステムは単なる計数器ではなく、シンチレーションイベントの存在を検出するほか、イベント位置を識別しなければならない。概念上では、各相互作用の位置を識別できるようにするおそらく最も直接的な構造は、各シンチレータ結晶に対して別個の光センサ及びデータ取得チャンネルを有することである。一般的な光センサの物理的サイズ、各データ取得チャンネルに要する電力、及びこれらの要素に関連するコストなどの制約条件により、光センサ及び電子部品のチャンネルの数を減らすために、通常は何らかの多重化形式を使用する。
【０００９】
光が複数の光センサにどのように分配されるかを適切に実証することによって、任意のセンサ応答の組にイベント位置を割り当てることができる。従って、光を複数のセンサに分配する必要がある。適切な光分布を実現するためには（十分なセンサがわずかな光を検出するように）、結晶とセンサとの間のライトガイドの厚さ又は間隔を大きくすることが必要になる場合がある。しかし、高速計数では、同時に処理される複数のイベント、シンチレーションイベント間で有利に働く光学的分離、及び、より小さい検出器ブロックの形成が要求される。これら２つの要件によって、検出器の構造は、２つの異なる方向に推し進められている。
【００１０】
現在利用可能なＰＥＴスキャナは、２つの主要な検出器モジュール構造を有する。第１のタイプは、円筒の軸方向範囲全体を覆う結晶アレイが形成された大面積検出器である。いくつかのモジュールは、円筒を形成するために一緒に配列される。各モジュールは、隣のモジュールと光学的に結合される。光センサ（例えば、光電子増倍管すなわち、ＰＭＴ）のアレイは、モジュール上に配置され、モジュール間の接続部分に配置される。図１Ａの構造を参照すると、結晶アレイ１０１とＰＭＴアレイ１０２とを含むモジュールが示されている。結晶アレイ１０１は、複数の結晶１０３で構成され、ＰＭＴアレイ１０２は、複数のＰＭＴ１０４で構成される。この手法は、光学的な接続部分と境界の数を最小にし、優れた光収集を保証する。しかし、この構造は、多数のセンサが単一シンチレーションイベントの光にさらされてしまい、互いに近くで生じるイベントを処理する能力を制限してしまい、さらに全体の計数能力を制限してしまうという欠点がある。
【００１１】
第２の構造は、結晶識別を単純化できるように、例えば４つのＰＭＴセンサを有する光学的に分離されたブロックに基づく。図１Ｂの構造においては、ブロック要素１０５は、約５０ｍｍ×５０ｍｍの結晶アセンブリ上の４つのＰＭＴセンサからなる。この手法では、結晶は、アレイの最端部まで広がっている。従って、すべてのＰＭＴからイベント位置を検出できる十分な光を収集するために、比較的厚いライトガイドを使用することが多い。検出器を構成するためには、まず、複数（例えば、３つか４つ）のブロックを配置することによって軸方向範囲を埋める。そして、このパターンを繰り返すことによって、円筒全体を形成する。図１Ｂ及び図１Ｃに示す構造を参照する。この手法の利点は、優れた融通性（検出器ブロックの機能が完全にスキャナの外部にあってもよい（すなわち、顧客サイトでの保守及びスキャナの製造に有利な完全なシステムの一部としてしか試験及び較正ができない大面積の連続検出器とは対照的に、検出器ブロックは個別に試験及び較正ができる））と、各モジュールの並列動作が可能な優れた計数能力とを有する。この構造の欠点は、多数の光学面を有すること、効率的な光収集を妨げ得ること、及びセンサ範囲のオプションの組み合わせがより制限されることである。
【００１２】
図８の下部に示すように、従来技術の一構造では、部分的に重なりあったＰＭＴのアレイが、小さな２Ｄ結晶アレイ全体に配列されている。この場合、４つのセンサの４つの四半分が各結晶アレイを覆っている。しかし、この構造の場合、縁端部を有効に使う手段はなく、この概念は、むしろ大きな表面を覆うために採用されているようである。さらに、ＴＯＦ機能を備えた最近のＰＥＴシステムでは、主として、多数の極小アレイを意味する１インチ及び１−１／２インチのＰＭＴが使用される。さらに、この構造は、細長い検出器内に同等の実装を備えない。図８の上部に示す１Ｄバージョンは、１つのセンサがその表面の半分を隣接する、２つのサブアレイとの間で単純に共有しているが、２Ｄ位置決めを実行するに十分な情報を保持していない。
【００１３】
例えば、四方共有方式は、２つの方法で実行できる。
【００１４】
個別モジュールの四方共有手法では、図１０Ａに示すモジュール１００１などの隣接する個別のモジュールは、光学的に結合されず、かついずれのＰＭＴ１００２も共有しない。図１０Ｂに示すように、個別四方共有方式のモジュール１００１の結晶アレイ（シンチレータアレイ）１００３は、おおよそ１個の光センサ（ＰＭＴ）の幅より近くには配置できない。個別四方共有手法における隣接するモジュール間の大きな間隙は、この手法の重要な欠点である。それに加えて、細長いアレイでの個別モジュール四方共有手法は、非常に効率が悪く、かつ、明らかに高集積化を阻害することになる。
【００１５】
連続する四方共有手法では、図１０Ｃに示すように、検出器は、実質的に、リングの周辺全体の周りに続いている。この手法では、四方共有方式のモジュール１００４の結晶アレイ（シンチレータアレイ）１００５は、ＰＭＴを共有する場合、より近接して配置でき、それによって、それらの独立性は失われる。この場合、モジュールは、実質的に、いくつかのＰＭＴ１００６をモジュール間で共有する単一の連続検出器となる。連続する四方共有手法でモジュールの独立性が失われることは、一旦「すべての」検出器モジュールを設置すると、検出器は全面的に動作可能になるだけであって、設置前にモジュールの完全な試験及び較正を行うことはできないことになる。連続する四方共有手法では、スキャナにユニットを組み込む前に完全に動作可能な個別ユニットを製造及び試験することは不可能になり、さらに、一部の検出器が故障したとき、個別モジュールを交換することも不可能になる。これが、連続する四方共有手法の重大な実質的欠点である。
【先行技術文献】
【特許文献】
【００１６】
【特許文献１】特開２００７−４１００７号公報
【発明の概要】
【発明が解決しようとする課題】
【００１７】
本発明が解決しようとする課題は、コスト低減、検出に有効な光の総量の増大、及び、高速計数において連続検出器よりも優れた性能を提供することが可能なガンマ線検出器モジュール及び核医学診断装置を提供することである。
【課題を解決するための手段】
【００１８】
実施形態に係るガンマ線検出器モジュールは、シンチレーション結晶素子のアレイと、複数の光センサと、複数の電子部品とを備える。前記複数の光センサは、前記アレイから放射される光を受信するように構成されている。前記複数の電子部品は、第１のトリガゾーンと第２のトリガゾーンとが互いの一部の光センサを共有するように設定され、各トリガゾーンに含まれる複数の光センサからの出力信号を所定の時間ウインドウの間積算するように構成されている。
【００１９】
本発明とこれに付随する多くの利点は、添付の図面とともに以下の詳細な説明を参照することにより、より良く理解できるであろう。
【図面の簡単な説明】
【００２０】
【図１Ａ】図１Ａは、光センサがシンチレーションアレイを覆って配置されている従来のＰＥＴ検出器モジュール構造を示す。
【図１Ｂ】図１Ｂは、光センサがシンチレーションアレイを覆って配置されている従来のＰＥＴ検出器モジュール構造を示す。
【図１Ｃ】図１Ｃは、光センサがシンチレーションアレイを覆って配置されている従来のＰＥＴ検出器モジュール構造を示す。
【図１Ｄ】図１Ｄは、複数の検出器モジュールを備えたＰＥＴスキャナリングを示す。
【図２】図２は、支持構造体、結晶アレイ（シンチレータアレイ）、ライトガイド、及びＰＭＴの配置を含む検出器モジュールの一実施形態を示す。
【図３】図３は、複数の隣接するモジュール方式の検出器セグメントを含み、各セグメントが結晶アレイ及びライトガイドを含む放射線検出器を示す。
【図４】図４は、セグメント化及び非セグメント化の実施形態における２つのイベントに対するトリガゾーンと光分布の比較とを示す。
【図５】図５は、２０ｃｍ  ＦＯＶ（Field  Of  View）の実施形態における結晶サブアレイ及び対応するライトガイド部品を示す。
【図６】図６は、３２ｃｍ  ＦＯＶの実施形態における結晶サブアレイ及び対応するライトガイド部品を示す。
【図７】図７は、別の実施形態によるセグメント化された検出器モジュールを示す。
【図８】図８は、従来の検出器モジュールを示す。
【図９】図９は、一実施形態による放射線検出器モジュールの製造方法の各ステップを示す。
【図１０Ａ】図１０Ａは、従来の四方共有構造を示す。
【図１０Ｂ】図１０Ｂは、従来の四方共有構造を示す。
【図１０Ｃ】図１０Ｃは、従来の四方共有構造を示す。
【図１１Ａ】図１１Ａは、個別モジュールの実施形態を示す。
【図１１Ｂ】図１１Ｂは、連続する四方共有方式の実施形態を示す。
【発明を実施するための形態】
【００２１】
図を参照すると、図１Ｄは、一実施形態によるＰＥＴスキャナ構造２００を示す。図１Ｄに示すように、検出器リング２１０は、多数の矩形の検出器モジュール２２０を含む。一実施形態によれば、検出器リング２１０は、４０個の検出器モジュール２２０を含む。別の実施形態では、スキャナとして大口径サイズを作るために４８個のモジュールが使用される。
【００２２】
ＰＥＴ検出器モジュールは、シンチレーション結晶素子のアレイと、複数の光センサとを備える。シンチレーション結晶素子のアレイは、実質的に光学的に分離された複数のサブアレイを含む。複数の光センサは、前記アレイを覆うように配列され、前記アレイから放射される光を受信するように構成される。前記複数のサブアレイは、対応するサブアレイ内に配置された個別の結晶素子から放射される光が集められて、前記複数の光センサのうちの前記対応するサブアレイを覆う光センサによって主に受信されるように、光学的に分離される。前記複数の光センサのうち、第１のサブアレイの結晶素子から放射される光を受信する少なくとも１つの光センサは、前記第１のサブアレイに隣接する唯一のサブアレイの結晶素子から放射される光をさらに受信する。
【００２３】
図２は、例えば、支持構造体２０４と、個別の検出器結晶からなる２次元の結晶アレイ２０３とを含む検出器モジュール構造を示す。各検出器結晶は、ガンマ線を吸収し、シンチレーション光子を放射する。シンチレーション光子は、光電子増倍管（Photomultiplier  Tube：ＰＭＴ）によって検出される。ライトガイド２０２は、検出器の結晶アレイとＰＭＴ２０１との間に配置されている。図２に示すように、各検出器モジュールは、さまざまなサイズの多数のＰＭＴ２０１を含み、各ＰＭＴ２０１は、複数の検出器結晶を覆っている。各ＰＭＴ２０１は、シンチレーションイベントが生じたとき、急激に立ち上がってから指数関数的に減少するアナログ信号を生成する。１つの検出器結晶から放射される光子は、複数のＰＭＴ２０１によって検出できる。しかし、イベントに対応する検出器結晶は、各ＰＭＴ２０１で生成されたアナログ信号に基づいて決定できる。
【００２４】
図２に示す検出器モジュールは細長い。一般に、長軸は、短軸より３〜４倍以上長い。この構造は、モジュール内部の結晶に対するモジュール端部の結晶の比を最小にし、それでも、適切な計数能力を保証するために十分な数の個別モジュールを作り出す。各モジュールは、光学的に分離され、光センサは、隣接するモジュール間で共有しないので、各モジュールは、個別に較正ができる。
【００２５】
図２の検出器モジュールの配列は、計数速度を最大にするためにできるだけ多くの光学的に独立したモジュールを作ることと、光収集を最高にし、エッジ効果を最小にするために大きな連続する検出表面を作ることとの両立を図ったものである。
【００２６】
図２の構造は、さらに、検出器の長軸に沿って相当量の光共有及び光混成作用を含む。それに加えて、図２に示す大きな構造体の構成は、詳細な光学的要件を伴い、いくつかの製造課題を提起する場合がある。
【００２７】
例えば、本明細書に記載の一実施形態は、モジュール方式のセグメントを使用する図２に示す細長い検出器モジュールの製造方法を対象としている。図３に示すように、結晶アレイ２０３及びライトガイド２０２をセグメント化することによって、性能を高く、製造を容易にすることができる。一実施形態では、結晶アレイ２０３及びライトガイド２０２を、２つのＰＭＴを連結する中央線にわたってセグメント化する。図３に示す実施形態では、３タイプのセグメントを使用し、各セグメントは、結晶サブアレイ及び対応するライトガイドサブ部品を含む。この実施形態における１つのタイプのセグメントは、図５及び図６に関して詳細に後述する終端タイプのセグメント３０１である。この実施形態における別のタイプのセグメントは、図５及び図６にも示す中間タイプのセグメント３０２及び３０３である。
【００２８】
このように、検出器モジュールは、例えば、少なくとも５つのモジュール方式の検出器セグメントを備える。そして、例えば、各検出器セグメントは、第１のセグメントと、第２のセグメントと、第３のセグメントと、第４のセグメントと、第５のセグメントとを含む。第１のセグメントは、シンチレーション結晶素子の終端タイプのアレイ及び終端タイプのライトガイドを含む。第２のセグメントは、シンチレーション結晶素子の中間タイプのアレイ及び第１の中間タイプのライトガイドを含む。第３のセグメントは、シンチレーション結晶素子の前記中間タイプのアレイ及び第２の中間タイプのライトガイドを含む。第４のセグメントは、シンチレーション結晶素子の前記中間タイプのアレイ及び前記第１の中間タイプのライトガイドを含む。第５のセグメントは、シンチレーション結晶素子の前記終端タイプのアレイ及び前記終端タイプのライトガイドを含む。
【００２９】
そして、検出器モジュールは、対応するサブアレイ内の個別の結晶素子から放射された光が、複数の光センサのうち、対応するサブアレイを覆う光センサによって主に受信されるように、光を実質的に集めるように構成された反射体素子をさらに備える。
【００３０】
また、結晶素子のアレイに含まれる複数のサブアレイそれぞれは、複数の光センサのうちの４つの光センサからなる対応するグループの各部分によって覆われている。また、複数のサブアレイは、対応するサブアレイ内に配置された個別の結晶素子のいずれかからの光が集められて、４つの光センサからなる前記対応するグループの各部分によって主に受信されるように、光学的に分離される。また、複数の光センサのうち、第１のサブアレイ内の結晶素子から放射される光を受信する少なくとも２つの光センサは、第１のサブアレイに隣接する唯一のサブアレイ内の結晶素子から放射される光をさらに受信する。
【００３１】
検出器モジュールは、当該検出器モジュールに定義された部分的に重なる複数のトリガゾーンであって、それぞれが複数の光センサのうちの複数の光センサを含む複数のトリガゾーンのうち、少なくとも１つのトリガゾーンに含まれる光センサからの出力信号をシンチレーションイベントごとに集計するように構成された信号処理デバイスをさらに備える。そして、隣接するサブアレイからの光を受信する少なくとも１つの光センサは、２つのトリガゾーンに属する。
【００３２】
本実施形態では、例えば、各サブアレイを、図３に示す各結晶サブアレイの周りに反射材料３０４を取り付けることによって、光学的に分離する。これによって、いくつかの利点がもたらされる。第１に、１つのサブアレイからの光は、同じアレイにとどまり、図４に関して後述するように、隣接するサブアレイとの部分的重複又は混成作用が減少する。第２に、各シンチレーションイベントは、常に４つのＰＭＴのみに作用する。この実施形態では、４つのＰＭＴからなる組のすべてのＰＭＴからの信号は、トリガゾーンを形成するために結合される（すなわち、タイミングトリガ信号を生成するためにアナログ領域で総和されるＰＭＴ）。例えば、図４は、ＰＭＴ１〜ＰＭＴ４が第１のトリガゾーンを形成し、ＰＭＴ３〜ＰＭＴ６が第２のトリガゾーンを形成し、等々により、５つのトリガゾーンを示す。
【００３３】
この実施形態のように、小さいトリガゾーンを有することは、タイミング分解能にとって有利である。例えば、各ＰＭＴチャンネルのプリアンプによって、信号にいくらかのノイズが加えられるので、トリガゾーン内のチャンネル総数を減らすことによって、ノイズ総量が減るようになる。４つのＰＭＴからなる領域を越えて広がった光は、タイミング信号に影響を与えない。この実施形態では、実質的に、ガンマイベントからのシンチレーション光はすべて単一トリガゾーンに閉じ込められる。信号対雑音比が増大すると、タイミング分解能が向上する。部分的に重なるトリガゾーンの境界線は、光センサの中心と整合するので、セグメントの境界線（合わせ目）もまた、光センサの中心と整合し、この利点を完全に実現できることになる。
【００３４】
さらに、２つのイベントは、これらのイベントがいずれのＰＭＴをも共有していないという条件で、同時に処理することが可能である。この条件は、対象の２つのイベント間に１つ以上のサブアレイがあった場合に、ただちに成立する。これらのイベントは、各ガンマ線の到達時間、エネルギー、及び相互作用位置の推定値を生成するために、アナログ及びデジタルの電子部品の組み合わせを用いて処理される。ほとんどの従来型ガンマ線検出システムでは、タイミングは、ＰＭＴからの多数の信号のアナログ合計による複合タイミング信号の生成から導き出される。次に、リーディングエッジディスクリミネータ又はコンスタントフラクションディスクリミネータが複合信号に適用される。
【００３５】
信号が合計されるＰＭＴは、「トリガゾーン」と呼ばれることが多い。トリガゾーンは、部分的に重なっている場合や切り離されたままの場合がある。一実施形態では、トリガゾーンは部分的に重なっている。イベントの到達時間を導き出すために利用されるだけでなく、各トリガゾーンに対する合計信号は、通常、エネルギー及び位置の情報の取得又は処理を始動する。一般に、各ＰＭＴは、典型的に整形フィルタ及びアナログデジタル変換器を含む電子部品の個別チャンネルに接続される。取得がトリガされると、トリガゾーン内の各ＰＭＴに対するＰＭＴ信号が、所定の時間ウィンドウの間ずっと積算される。次に積算された積算信号は、デジタル方式で合計され、イベントのエネルギーの推定値が生成され、これらの信号を使う重心計算を用いて相互作用の位置が推定される。最新のシステムは、タイミング、エネルギー、及び位置の推定値を改善するために、多くの場合格納されたルックアップテーブルに基づく多重補正を含む。
【００３６】
このように、検出器モジュールを用いた信号処理方法では、検出モジュールが、複数のサブアレイのうちの第１のサブアレイから第１のシンチレーションイベントを検出する。また、検出モジュールが、複数のサブアレイのうち、少なくとも１つのサブアレイによって第１のサブアレイと分離された第２のサブアレイから第２のシンチレーションイベントを検出する。そして、信号処理デバイスが、第１のサブアレイと第２のサブアレイとが少なくとも１つのサブアレイによって分離されている場合に、第１のシンチレーションイベントに関係する各光センサからの第１の信号と、第２のシンチレーションイベントに関係する各光センサからの第２の信号とを同時に解析する。
【００３７】
また、信号処理デバイスが、第１の信号と前記第２の信号とを解析する際に、第１のシンチレーションイベントに対する第１の位置、第１のエネルギー、及び第１の到達時間を決定し、第２のシンチレーションイベントに対する第２の位置、第２のエネルギー、及び第２の到達時間を決定する。
【００３８】
さらに、図４の下部に示すように、１つのシンチレーションイベントからの光は、より少ないセンサに振り向けられ、検出の統計学的品質を高め、その結果高度なタイミング情報を生み出すことになる。図４の上部に示す非セグメント化構造では、２つのイベントからの光分布は、部分的に重なる（相互干渉又はパイルアップの）可能性があり、特に高速計数では、検出の品質が低下する。
【００３９】
さらに、図３のセグメント化手法によって製造がより容易で経済的になる。結晶は、スキャナの中で際立って最も高価な構成要素なので、結晶アレイの製造歩留りをより高くすべきである。悪影響を及ぼす不良アレイが小さいサブアレイのみであるため、コスト面に与える影響を比較的小さく抑えながら不良など性能の低いアレイを排除できるので、その歩留り向上は実現される。
【００４０】
さらに、異なるセグメントに対する結晶サブアレイ及びライトガイド部品は、光学的に連結でき（例えば、接着剤で結合される）、個別に検査が可能である。従って、１つのセグメントに対する問題は、検出器モジュール全体を再製造することなく修復できる。さらに、小さい結晶サブアレイは、製造及び取り扱いがより容易であり、コスト削減につながる。
【００４１】
さらに、さまざまなサイズの検出器モジュールを作ることができ、かつ同一セットのサブアレイを使って容易に保守できる。例えば、図５に示すように、２０ｃｍ長の検出器は、２タイプの結晶サブアレイ（２つの１２×１６終端アレイ及び３つの８×１６中間アレイ）と３タイプのライトガイドサブ部品（１つの終端部品及び２タイプの中間部品）とを使って作ることができる。さらに、図６に示すように、３２ｃｍ検出器モジュールは、同じサブアレイ（２つの１２×１６終端アレイ及び３つの８×１６中間アレイ）と同じライトガイドサブ部品とを使って作ることができる。特に、３２ｃｍ検出器モジュールには、２つの終端部品に加えて、第１タイプの中間部品４つと、第２タイプの中間部品３つとが使われている。別のサイズの結晶サブアレイ及び別の組み合わせ又はサイズのライトガイド部品も使用可能である。
【００４２】
このように、例えば、検出器モジュールは、９つのモジュール方式の検出器セグメントを備える。また、例えば、検出器モジュールは、奇数の中間モジュール方式の検出器セグメントと、２つの終端モジュール方式の検出器セグメントとを含む。
【００４３】
繰り返すが、結晶は、高価な構成要素であるので、製造過程において異なるタイプのスキャナ間で共用の構成要素を使用し、実際の市場の状況に応じて各タイプに必要な割合を作ると極めて効率的となる。
【００４４】
図９は、一実施形態による放射線検出器モジュールを製造する方法の各ステップを示す。
【００４５】
ステップ９１０では、２つの終端サブアレイ及び複数の中間サブアレイを含む複数のシンチレーション結晶サブアレイを作る。例えば、図５及び図６を参照のこと。
【００４６】
ステップ９２０では、２つの終端部品及び複数の中間部品を含む複数のライトガイド部品を作る。例えば、各ライトガイド部品が、１つ以上のＰＭＴの一部分を保持するための少なくとも１つのくぼんだ部分を含むことを示す図３を参照のこと。
【００４７】
ステップ９３０では、２つの終端セグメントを形成するために、終端ライトガイド部品のうちの対応する１つに各終端サブアレイを取り付ける。
【００４８】
ステップ９４０では、複数の中間セグメントを形成するために、中間部品のうちの対応する１つに各中間サブアレイを取り付ける。例えば、図３、図５、及び図６を参照のこと。
【００４９】
ステップ９５０では、反射材料を終端及び中間のセグメントのそれぞれの側面に取り付ける。
【００５０】
ステップ９６０では、シンチレーション層及びライトガイド層を有するモジュールベースを形成するために、終端セグメント及び複数の中間セグメントを、例えば、図５及び図６の一方に示す順序で一緒に取り付ける。
【００５１】
ステップ９７０では、光センサを所定位置に保持するために、複数の光センサをモジュールベース上にくぼんだ部分を使って配列する。この場合、複数の光センサは、異なるサイズの光センサを含むことができる。
【００５２】
ステップ９８０では、複数の光センサ及びモジュールベースを、図２に示す支持構造体２０４内に配置する。
【００５３】
なお、例えば、ステップ９２０は、各ライトガイド部品内に、それぞれ異なるサイズの光センサを保持するための少なくとも２つのくぼんだ部分を形成するステップを含み、ステップ９７０は、異なるサイズの光センサを含む複数の光センサをモジュールベース上に配列するステップを含んでもよい。
【００５４】
また、例えば、ステップ９２０は、少なくとも１つの第１のタイプの中間部品及び少なくとも１つの第２のタイプの中間部品を製造するステップを含んでもよい。
【００５５】
別の実施形態では、上述の概念は、各サブアレイを位置決め計算の実行に必要な最小数のセンサに連結する必要があるという規則に従って、別の構造に適用できる。例えば、図７に示すように、必要な最小数のセンサは、最上部の構造では４つであるが、図７に示す下の２つの構造では、必要な最小数のセンサは３つである。なお、図７に示す点線は、モジュールをどのようにセグメント化するかを示しているが、セグメントのすべては示していない。
【００５６】
図１１Ａ及び図１１Ｂは、複数の個別モジュール（例えば図１１Ａに示すようなモジュール）をそれぞれの間隙が最小となるように近接して配置できるセグメント化された構造を示す。また、図１１Ｂは、それらの独立性を保持するセグメント化された構造を示す。特に、図１１Ｂのモジュール間の間隙は光センサの幅より極めて小さく、単一の結晶幅の同等以下となる、例えば４ｍｍ未満に相当する。
【００５７】
このように、複数の検出器モジュールは、それぞれ独立しており、前記円筒状の検出器リングを形成するように、前記光センサのうちの１つの幅より互いに近接して配列される。また、複数の検出器モジュールは、それぞれ独立しており、前記円筒状の検出器リングを形成するように、互いの間を４ｍｍより狭く配列される。
【００５８】
このような配列を実現できる理由は、第１のサブアレイ内の結晶から放射される光を受信する（モジュール内の複数の光センサのうちの）少なくとも１つの光センサはまた、第１のサブアレイに隣接する唯一のサブアレイ内の結晶から放射される光も受信するからである。単一の光センサが、３つ以上のサブアレイ間で共有される（すなわち、光センサが、２つの直交する方向にまたがるサブアレイ間で共有される）従来の四方共有手法とは異なり、本実施形態では、光センサは、２つ以下のサブアレイ間で、かつ一方向で共有されるだけである。
【００５９】
図１１Ｂに示す配列は、セグメント化されたモジュール手法の実用的な利点であり、それは、各モジュールを、スキャナ内に設置する前に、完全に試験及び較正できるからである。さらに、モジュールの交換が必要な時、交換が早くできるのは、交換モジュールを隣接するモジュールに光学的に連結する必要がなく、かつ、モジュールを設置前に予め較正できるからである。
【００６０】
なお、一実施形態では、センサアレイは、実質的に結晶アレイと同じサイズであるため、組立サイズに制限が加えられる。また、一実施形態では、結晶アレイは、製造公差及び組立公差を考慮して実質的にセンサ直径のサイズと同じか少し小さくなる。
【００６１】
上述のように、本明細書に記載した実施形態は、コスト低減、検出に有効な光の総量の増大、及び、高速計数において連続検出器よりも優れた性能を提供する。
【００６２】
一定の実施形態を記載してきたが、これらの実施形態は、単なる例として提示したのであって、本発明の範囲を限定するものではない。実際、本明細書に記載の新規の方法及びシステムは、さまざまな別の形式で具体化が可能である。さらに、本明細書に記載の方法及びシステムの形式においてさまざまな省略、置換、及び変更は、本発明の精神を逸脱することなく行うことが可能である。添付の特許請求の範囲及びそれらの同等物は、本発明の範囲及び精神の範囲内に収まるであろう形式又は改変を網羅するものである。
【符号の説明】
【００６３】
２２０  検出器モジュール
２０１  光センサ
２０３  結晶アレイ
【図１Ａ】
2018044961.tif 000003
【図１Ｂ】
2018044961.tif 000004
【図１Ｃ】
2018044961.tif 000005
【図１Ｄ】
2018044961.tif 000006
【図２】
2018044961.tif 000007
【図３】
2018044961.tif 000008
【図４】
2018044961.tif 000009
【図５】
2018044961.tif 000010
【図６】
2018044961.tif 000011
【図７】
2018044961.tif 000012
【図８】
2018044961.tif 000013
【図９】
2018044961.tif 000014
【図１０Ａ】
2018044961.tif 000015
【図１０Ｂ】
2018044961.tif 000016
【図１０Ｃ】
2018044961.tif 000017
【図１１Ａ】
2018044961.tif 000018
【図１１Ｂ】
2018044961.tif 000019